(57)【要約】【課題】異なる周波数で異なる無線オーディオ信号を受信してどの無線信号が乗物用スピーカーによって放送されるべきかを決定する乗物用無線信号変換器を提供すること。【解決手段】乗物用無線信号変換器（１０）において、送受信機モジュール（１１）は、外部機器（２０）（２０ａ）から無線信号を受け取り、プロセッサ装置（１２）に信号を出力する。プロセッサ装置は信号を処理し、信号選択装置（１３）に出力する。スピーカー用オーディオ信号スイッチ装置（１５）は信号が入来呼信号であるかどうかを判断する。前記スイッチ装置は、入来呼信号を増幅するための、次いでその信号を該スイッチ装置に出力するための入来呼信号処理及び増幅装置（１４）に出力する。前記スイッチ装置が入来呼信号を受け取るとき、前記スイッチ装置はスピーカーを切り替え、該スピーカーを、入来呼信号を出力するための出力端子に接続する。【選択図】図２
0003139759.tif 000002
【実用新案登録請求の範囲】
【請求項１】
送受信機モジュールと、
入力部及び出力部を有し、送受信機モジュールからのオーディオ信号、ビデオ及びオーディオ信号又は入来呼信号を受け取るために前記送受信機モジュールに接続され、前記送受信機モジュールに電話応答信号及びコマンドを送信するプロセッサ装置と、
入力端子及び多数のオーディオ及びビデオ信号の出力端子を有し、前記プロセッサ装置からの処理した信号の信号フォーマットを判断し、対応するオーディオ出力端子又はビデオ出力端子に前記処理した信号を出力する信号選択装置と、
前記信号選択装置から前記オーディオ信号を受け取るために前記信号選択装置の前記オーディオ出力端子に接続されたオーディオ端子と、処理したオーディオ信号を出力するオーディオソース出力部とを有する入来呼信号処理及び増幅装置と、
前記入来呼信号処理及び増幅装置の前記オーディオソース出力部に電子的に接続され、ビデオ及びオーディオプレーヤーのスピーカー及びオーディオ信号出力端子に接続されたスピーカー用オーディオ信号スイッチ装置と、
前記信号選択装置の前記オーディオ及びビデオ出力端子に電子的に接続される多数の入力ポートと、前記信号選択装置から前記ビデオ又はオーディオ信号を出力する多数の出力ポートとを有する統合ビデオ及びオーディオ信号インターフェースと、
前記乗物の内部で口頭の音声信号を受け取るためにアナログデジタル変換器によって前記プロセッサ装置の前記入力部に接続されたマイクロフォンとを含み、
前記スピーカー用オーディオ信号スイッチ装置は、前記スピーカー用オーディオ信号スイッチ装置に入力される前記処理したオーディオ信号で前記スピーカーに接続するために前記入来呼信号処理及び増幅装置の前記オーディオソース出力部を切り替え、アナログ音声信号をデジタル音声信号に変換する前記アナログデジタル変換器は前記プロセッサ装置を通して前記送受信機モジュールに前記デジタル音声信号を出力する、乗物用無線信号変換器。
【請求項２】
前記入来呼信号処理及び増幅装置はミュート制御信号を出力する制御端子を含む、請求項１に記載の乗物用無線信号変換器。
【請求項３】
前記送受信機モジュールはブルートゥースモジュールである、請求項１又は２に記載の乗物用無線信号変換器。
【請求項４】
前記送受信機モジュールは無線周波数モジュールである、請求項１又は２に記載の乗物用無線信号変換器。
【請求項５】
前記送受信機モジュールは赤外線モジュールである、請求項１又は２に記載の乗物用無線信号変換器。
【請求項６】
前記プロセッサ装置の入力部に接続された遠隔信号受信機を含む、請求項１又は２に記載の乗物用無線信号変換器。
【請求項７】
前記遠隔信号受信機は無線周波数受信機である、請求項６に記載の乗物用無線信号変換器。
【請求項８】
前記遠隔信号受信機は赤外線受信機である、請求項６に記載の乗物用無線信号変換器。
【考案の詳細な説明】
【技術分野】
【０００１】
本考案は、乗物用無線信号変換器に関し、特に、携帯機器からの口頭の音声信号、ビデオ及びオーディオ信号、及び無線オーディオ信号を識別し、１つの携帯機器に対応するオーディオ信号を受信するために乗物用スピーカーを切り替える乗物用無線信号変換器に関する。それにより、異なるオーディオ信号を再生することは予め設定した優先事項に依存する。
【背景技術】
【０００２】
携帯用電子機器はＭＰ３プレーヤー、携帯電話、及びポータブルコンピューター等を含む。いつでも、またどんな場所でも、音楽(オーディオ)を聴くために、ビデオを見るために、又はそれらを記録するために携帯機器が使用される。しかし、乗物の中の人々は、乗物用メディアセンター又は乗物用スピーカーを通してポータブルオーディオプレーヤーを使用することができない。
【０００３】
携帯機器が何百又は何千ものオーディオファイルも含んでいるので、乗物のユーザは、乗物の中で携帯機器を使用することが非常に便利であることに気付く。しかし、多額の費用とデジタルオーディオプレーヤー及びポータブルプレーヤーから乗物用プレーヤーへファイルを移す努力とを掛けて、古い乗物メディアセンターを取り替えなければならない。
【０００４】
したがって、ＭＰ３フォーマットでのオーディオ用の乗物用ＲＦ（無線周波数）送信機は提案された。乗物用ＲＦ送信機はＵＳＢポート、プロセッサ及びＲＦ送信機を有する。プロセッサは、ＵＳＢポート及びＲＦ送信機に電子的に接続される。ＭＰ３プレーヤーのような外部オーディオプレーヤーがＵＳＢポートに差し込まれたとき、プロセッサはオーディオ信号を得て、ＲＦ送信機にオーディオ信号を出力する。ＲＦ送信機はＲＦオーディオ信号にオーディオ信号を変調する。乗物オーディオプレーヤーは、オーディオプレーヤーでＲＦ送信機からＲＦオーディオ信号を受け取り、乗物用スピーカーによって信号を出力する。したがって、乗物のユーザは、デジタルオーディオファイルを再生するために古いメディアセンターを交換する必要はない。
【０００５】
また、携帯電話は一般に携行され、乗物内で使用される。しかし、電話に答えるために携帯電話を保持し同時に運転することは危険である。したがって、携帯電話のためのスピーカーが考案されている。携帯電話は、乗物に搭載されたスピーカーに電子的に接続される。したがって、スピーカーは携帯電話からのオーディオ信号を出力する。
【０００６】
さらに、デジタルオーディオ及びビデオ(以下にＡ／Ｖ)技術は十分に開発され、多くの乗物が、さらにビデオプレーヤー、テレビジョン信号、ゲームコンソールまたは同種のものに接続されるディスプレイを有する。
【０００７】
ポータブルオーディオプレーヤー、ディスプレイ、デジタルＡ／Ｖ信号プレーヤーはすべて乗物の中で使用することができるが、それらのほとんどは乗物内のＤＣ電力ソケット（シガレットライター）によって電力供給され、ドライバーのまわりの乗物の空間は制限される。また、スピーカーが携帯電話の入来呼を自動的に出力するとき、ドライバーは乗物用オーディオ装置を停止しなければならない。乗物のドライバーが乗物の中ですべての機器を使用すれば、ドライバーは多数のオーディオ出力攻めに遭い、運転に集中することができない。
【０００８】
したがって、本考案は、慣用の乗物用オーディオプレーヤーの上記欠点を克服するために乗物用無線信号変換器を提供する。
【考案の開示】
【考案が解決しようとする課題】
【０００９】
本考案の主目的は、乗物用スピーカーに電子的に接続されかつ異なる周波数で異なる無線オーディオ信号を受信して、どの無線信号が乗物用スピーカーによって放送されるべきかを決定する乗物用無線信号変換器を提供することにある。
【課題を解決するための手段】
【００１０】
乗物用無線信号変換器は、送受信機モジュール、プロセッサ装置、信号選択装置、入来呼信号処理及び増幅装置、及びスピーカー用オーディオ信号スイッチ装置を有する。送受信機モジュールは、外部機器から無線信号を受け取り、その後、プロセッサ装置に信号を出力する。プロセッサ装置は信号を処理し、次に、処理した信号を信号選択装置に出力する。前記スイッチ装置は信号が入来呼信号であるかどうかを判断する。もし、そうであれば、前記スイッチ装置は、入来呼信号を増幅し、次いでその信号を前記スイッチ装置に出力するための入来呼信号処理及び増幅装置に出力する。
【００１１】
スピーカー用オーディオ信号スイッチ装置が入来呼信号を受け取るとき、スピーカー用オーディオ信号スイッチ装置は、入来呼信号を出力するための出力端子に接続するためにスピーカーを切り替える。したがって、プロセッサ装置からの信号が入来呼信号でなければ、信号は処理され、次に、オーディオプレーヤーの入力部に出力される。
【考案を実施するための最良の形態】
【００１２】
図1に関して、乗物の内部の乗物用無線信号変換器（１０）の配置図が示される。乗物用オーディオ及びビデオ再生システム（３０）は、オーディオプレーヤー及びオプションのビデオプレーヤー、或いはオーディオ及びビデオプレーヤー（３１）と、少なくとも1つのスピーカー（３２）及びディスプレイ、或いはオプションのスピーカー付きディスプレイとを有する。また、図２に関して、オーディオ及びビデオプレーヤー（３１）はビデオ端子及びオーディオ入力端子、オーディオ出力端子及びミュート制御端子を有する。スピーカー（３２）は、オーディオ信号を放送するために、オーディオプレーヤー（３１）のオーディオ出力端子に電子的に接続される。乗物用無線信号変換器（１０）は、オーディオ及びビデオ入力端子を使用して、乗物用オーディオ及びビデオ（Ａ／Ｖ）再生システムに電子的に接続される。
【００１３】
図２，３に関して、乗物用無線信号変換器は、送受信機モジュール（１１）、プロセッサ装置（１２）、信号選択装置（１３）、入来呼信号処理及び増幅装置（１４）、スピーカー用オーディオ信号スイッチ装置（１５）、統合ビデオ及びオーディオ信号インターフェース（１６）、及びマイクロフォン（１７）を有し、遠隔制御装置（１９）及び遠隔信号受信機（１８）を含むことができる。
【００１４】
送受信機モジュール（１１）は外部無線機器（２０）（２０ａ）から無線信号を受け取り、外部無線機器（２０）（２０ａ）へ無線信号を放射する。たとえば、送受信機モジュール（１１）はブルートゥースモジュール、ＩＲ（赤外線）モジュール又はＲＦモジュールにすることができる。外部無線機器（２０）（２０ａ）は、携帯電話、ＭＰ３プレーヤー又はポータブルコンピューターにすることができる。携帯電話（２０）は、ビデオ及びオーディオ（Ａ／Ｖ）信号処理装置（２１）、入来呼信号処理装置（２２）、送受信機（２４）及びアンテナ（２３）を有する。ＭＰ３プレーヤー（２０ａ）又はポータブルコンピューター（２０ａ）はビデオ及びオーディオ（Ａ／Ｖ）処理装置（２５）及び送受信機（２４）を有する。
【００１５】
プロセッサ装置（１２）は入力部と出力部を有し、送受信機モジュール（１１）からオーディオ信号、Ａ／Ｖ信号又は入来呼信号を受け取るために送受信機モジュール（１１）に接続される。
【００１６】
信号選択装置（１３）は入力端子及び複数のオーディオ及びビデオ出力端子を有する。信号選択装置（１３）の入力端子は、プロセッサ装置（１２）の対応する出力部に接続される。信号選択装置（１３）がプロセッサ装置（２０）によって処理される信号を受け取った後、信号選択装置（３０）はプロセッサ装置（１２）からの処理された信号の信号フォーマットを決定し、次に、対応する出力端子へ処理された信号を出力する。
【００１７】
入来呼信号処理及び増幅装置（１４）はオーディオソース出力部、オーディオ端子及びオプションの制御端子を有する。オーディオ端子は、入来呼信号を出力する信号選択装置（１３）の対応するオーディオ出力端子に電子的に接続される。入来呼信号処理及び増幅装置（１４）は、信号選択装置（１３）からの入来呼信号を処理し、次いで、処理した入来呼信号を、処理したオーディオ信号を順に出力するオーディオソース出力部に出力する。制御端子は、Ａ／Ｖ再生システム（３０）のオーディオプレーヤー（３１）のミュート制御端子に接続され、ミュート制御信号を出力する。
【００１８】
スピーカー用オーディオ信号スイッチ装置（１５）は、スピーカー（３２）、オーディオプレーヤー（３１）及び入来呼信号処理及び増幅装置（１４）のオーディオソース出力部に電子的に接続される。入来呼信号処理及び増幅装置（１４）が入来呼信号を出力する場合、入来呼信号処理及び増幅装置（１４）は、オーディオプレーヤー（３１）のミュート制御端子へミュート制御信号を出力し、スピーカー用オーディオ信号スイッチ装置（１５）は、スピーカー（３１）に接続するべきオーディオソース出力端子を切り替える。入来呼信号処理及び増幅装置（１４）が入来呼信号を出力しない場合、スピーカー用オーディオ信号スイッチ装置（１５）はスピーカー（３２）へのオーディオソース出力端子を切り替える。
【００１９】
統合ビデオ及びオーディオ信号インターフェース（１６）は入力ポート及び出力ポートを有する。入力ポートは、信号選択装置（１３）のオーディオ及びビデオ出力端子に電子的に接続される。出力ポートは、乗物用オーディオ及びビデオ再生システム（３０）のオーディオプレーヤー（３１）のビデオ及びオーディオ入力端子に電子的に接続される。
【００２０】
マイクロフォン（１７）は、乗物の内部からの口頭の音声信号を受け取るために、アナログデジタル変換器（１７１）（以下に、ＡＤＣ)によって、プロセッサ装置（１２）の入力部に接続される。マイクロフォン（１７）によって受け取られた音声信号がデジタル音声信号に変換されるとき、プロセッサ装置（１２）は、さらに、デジタルオーディオ信号を処理し、次いで、無線信号を変調しかつ放射するために送受信機モジュール（１１）に処理されたオーディオ信号を出力する。したがって、ドライバーは、マイクロフォン（１７）、ＡＤＣ（１７１）、プロセッサ装置（１２）及び送受信機モジュール（１１）を通して電話呼に応答する。
【００２１】
乗物用Ａ／Ｖ再生システム（３０）は２つ又は４つのスピーカーを有する。スピーカー用オーディオ信号スイッチ装置（１５）はそれらのうちの１つに接続することができる。
【００２２】
乗物用無線信号変換器は、外部遠隔制御装置（１９）から遠隔制御コマンドを受信する遠隔信号受信機（１８）で実行することができる。遠隔信号受信機（１８）は、プロセッサ装置（１２）の入力部に電子的に接続される。乗物用無線信号変換器（１０ａ）は送受信機モジュール（１１）を通して外部機器と通信するので、プロセッサ装置（１２）は、遠隔制御コマンドを変調しかつ放射するために、送受信機モジュール（１１）に遠隔制御コマンドを出力する。したがって、遠隔制御装置（１９）は本考案によって外部機器を制御する。遠隔信号受信機（１８）はＩＲ遠隔信号受信機又はＲＦ遠隔信号受信機にすることができる。
【００２３】
上記記載に基づいて、本考案は、外部機器と乗物用メディアシステムとの間の通信プラットフォームを提供する。本考案は、スピーカーに入力するための無線オーディオ信号又はＡ／Ｖ信号を変換するだけでなく、口頭の音声信号を受け取り、次いで、外部機器にその口頭の音声信号を送信する。また、信号選択装置（１３）が、プロセッサ装置からのオーディオ信号が入来呼信号であることを判断するとき、入来呼信号処理及び増幅装置は直ちにミュート状態にオーディオプレーヤーを制御し、スピーカーに入来呼信号を出力する。したがって、ドライバーは運転を平穏に維持する。
【図面の簡単な説明】
【００２４】
【図１】本考案に従う乗物用無線信号変換器を有する乗物用内部の部分斜視図である。
【図２】本考案に従う乗物用無線信号変換器の第１の実施例の機能ブロック図である。
【図３】本考案に従う乗物用無線信号変換器の第２の実施例の機能ブロック図である。
【図１】
0003139759.tif 000003
【図２】
0003139759.tif 000004
【図３】
0003139759.tif 000005